(57)【要約】【課題】本発明は、より簡便で動作が確実な地下に埋設した貯留槽に対する浮力対策の提案にある。【解決手段】本第１の発明は、地下に埋設し雨水などの貯留施設とする貯留槽において、集水器を設け、当該集水器と貯留槽は連通され、集水器の底部は地盤に対し開口された貯留槽である。本第２の発明は、地下に埋設し雨水などの貯留施設とする貯留槽において、当該貯留槽内連通する配管を設け、当該配管の貯留槽内端部に逆止弁を設けた貯留槽である。【選択図】図1
2013249655.tif 000002
【特許請求の範囲】
【請求項１】
地下に埋設し雨水等の貯留施設とする貯留槽において、集水器を設け、当該集水器と貯留槽は連通され、集水器の底部は地盤に対し開口された貯留槽。
【請求項２】
地下に埋設し雨水などの貯留施設とする貯留槽において、当該貯留槽内連通する配管を設け、当該配管の貯留槽内端部に逆止弁を設けた貯留槽。
【請求項３】
請求項１記載の貯留槽において、貯留槽と集水器を連通する配管の位置を当該貯留槽外部側面に溜まる地下水による浮力が貯留槽上の土被圧より大きくなる位置に設定した貯留槽。
【請求項４】
請求項２記載の貯留槽において、逆止弁の作動圧を当該貯留槽外部側面に溜まる地下水による浮力が貯留槽上の土被圧より大きくなる圧に設定した貯留槽。
【発明の詳細な説明】
【技術分野】
【０００１】
本発明は、地下に埋設される雨水等の貯留槽にかかる地下水による浮力対策技術に属する。
【背景技術】
【０００２】
地下に埋設した貯留槽は地下水位が貯留槽側面に達すると貯留槽に浮力が発生する。コンクリート製の貯留槽は当然として近年樹脂製のブロックを縦横に配列し、その周囲をシート類で覆った貯留槽はその重量が小さいため浮力の影響を受けやすい。かかる槽はその上部を覆う土被圧を槽にかかる浮力より大きくすることで対応している。しかしながら、設置場所の都合で十分な土被り厚さが得られない場合、地下水層が十分低く槽側面にまで上昇しない前提で設計・施工した後、集中豪雨等で予想外に地下水が上昇する場合などあり簡単ではない。
かかる対策として、特開平１０−７２０９０にはそうの内部に配管を兼ねた蛇腹の上端に浮き輪を設け、槽外からの地下水を導入し、常時地下水層以上に浮き輪が存在するようにした技術が開示されている。
【先行技術文献】
【特許文献】
【０００３】
【特許文献１】特開平１０−７２０９０
【発明の概要】
【発明が解決しようとする課題】
【０００４】
本発明は、より簡便で動作が確実な地下に埋設した貯留槽に対する浮力対策の提案にある。
【課題を解決するための手段】
【０００５】
本第１の発明は、地下に埋設し雨水などの貯留施設とする貯留槽において、集水器を設け、当該集水器と貯留槽は連通され、集水器の底部は地盤に対し開口された貯留槽である。
本第２の発明は、地下に埋設し雨水などの貯留施設とする貯留槽において、当該貯留槽内連通する配管を設け、当該配管の貯留槽内端部に逆止弁を設けた貯留槽である。
本第３の発明は、上記第１の発明の貯留槽において、貯留槽と集水器を連通する配管の位置を当該貯留槽外部側面に溜まる地下水による浮力が貯留槽上の土被圧より大きくなる位置に設定した貯留槽である。
本第４の発明は、上記第２の発明の貯留槽において、逆止弁の作動圧を当該貯留槽外部側面に溜まる地下水による浮力が貯留槽上の土被圧より大きくなる圧に設定した貯留槽である。
貯留槽外の地下水位が上昇し、貯留槽にかかる浮力が土被り圧を超える状況になると、地下水が集水器あるいは逆止弁を介して貯留槽内に流入させ、貯留槽にかかる浮力を解消できるようにした。
【発明の効果】
【０００６】
本第１の発明の貯留槽は、（１）基盤に開口する集水器を設け、集水器と貯留槽とを連通したため地下水位が上昇すると集水器から貯留槽に地下水が流入し、貯留槽にかかる浮力を解消する。
本第２の発明の貯留槽は、（２）槽外部に開口し槽内部に端部を有する配管端部に逆止弁を設けたため、地下水位が上昇すると逆止弁を介し、貯留槽外の地下水が流入し、貯留槽にかかる浮力を解消する。
本第３の発明の貯留槽は、（３）貯留槽と集水器を連通する配管の水平レベルを貯留槽外部側面に溜まる地下水による浮力が貯留槽上の土被圧より大きくなる位置に設定したため、土被り厚が十分取れない場合でも浮力が危険水準に達する前に地下水が貯留槽内に流入するため貯留槽にかかる浮力の解消ができる。
本第４の発明の貯留槽は、（４）当該槽内に設けられた逆止弁を貯留槽外部側面に溜まる地下水による浮力が貯留槽上の土被圧より大きくなる時作動するよう設定したため、土被り厚が十分取れない場合でも浮力が危険水準に達する前に地下水が槽内に流入するため貯留槽にかかる浮力の解消ができる。
【図面の簡単な説明】
【０００７】
【図１】本第１の発明である浮力対策を施した貯留槽の概念図である。
【図２】本第２の発明である浮力対策を施した貯留槽の他の概念図である。
【図３】本第３の発明である浮力対策を施した貯留槽の概念図である。
【図４】単位部材を用いた一般的な貯留槽に適用した場合の概念図である。
【図５】単位部材を用いた一般的な貯留槽の概念図である。
【図６】単位ユニットの例を示す図である。
【発明を実施するための形態】
【０００８】
以下本第１の発明を図により説明する。
本発明による浮力対策を施した貯留槽は、図１に示すように、貯留槽とそれに連通する集水器からなる。集水器の底部は基盤に開口し、地下水が上昇すると優先的に集水器内に流入する。集水器と貯留槽を連通する配管レベル以上に集水器内の水位が上昇すると貯留槽内に地下水が流入し貯留槽にかかる浮力を解消する。
集水器の基盤に対向する開口部は地下水が上昇した時抵抗なく集水器内に流入できるよう、基盤部は砕石基礎とすることが好ましい。
図では集水器の位置を貯留槽の外に設定したが、貯留槽内に設定してもなんら差し支えがない。
【０００９】
以下本第２の発明を図により説明する。
図２は、浮力対策として逆止弁を用いた貯留槽の示している。逆止弁は、その貯留槽外部端は貯留槽外に開口し、他端は貯留槽内部にある。貯留槽内部端に逆止弁が設けられる。地下水位が上昇すると逆止弁内に地下水が流入し、設定された圧以上となると逆止弁が作用し貯留槽内に地下水が流入し浮力を解消する。
図では逆止弁は貯留槽底に開口し垂直に立ち上がっているが、水平方向に設けてもなんら差し支えがない。逆止弁も各種タイプがあるが、雨水を一時的にためる流出抑制のために使用する貯留槽にあっては、単純な配管端部にヒンジで固定された蓋からなるスイング式の逆止弁でよい。
【００１０】
上記貯留槽において、土被り厚が十分に取れない条件下で施工した貯留槽、あるいは地下水位が貯留槽の底部より上昇しない条件下で設計施工される場合がある。かかる場合においても、集中豪雨等で、貯留槽内に雨水が流入する前に、地下水位が上昇する場合がある。このような場合、土被り圧以上の浮力を生ずる地下水位の上昇に対応する必要がある。
【００１１】
集水器と貯留槽を連通する連通配管の水平レベルＨを土被圧に相当する値に設定しておくことで浮力を解消することができる。
土被り厚さにより生じる土被圧と貯留槽にかかる浮力が釣り合う浮力は計算で求められる。すなわち、図３に示すように、土被り用の埋め戻し土の密度をσ１とし、土被り厚さをｈ１とし、地下水位の槽底からの高さをｈ２とし、水の密度をσ２とすれば、土被り圧σ１＊ｈ１と浮力σ２＊ｈ２が等しくなる時、連通配管から貯留槽内に地下水が流入すればよい。安全を考慮してＨ＜ｈ２＝（σ１／σ２）＊ｈ１となるように設定する。
単純なスイング式の逆止弁では逆止弁の位置を上記ｈ２より低い位置に設定しておけばよい。
【００１２】
図４は単位部材を縦横に配置して貯留空間を形成しその周囲をシート類で覆った貯留槽の例を示している。
図４ａは集水器を貯留槽の外部に設けた例を示している。図４ｂは、逆止弁を使用した例である。
逆止弁を設ける空間を単位ユニットの配列内に設け、すなわち単位ユニットを必要数抜き取り、そうしてできる空間内に逆止弁を設ける。必要に応じて逆止弁の周囲を架台囲み、貯留空間を形成する単位部材の配列を乱さないようにする。
【００１３】
図５は、貯留槽の付帯施設として、泥だめ桝、流入流出口、オリフィスますを表示した一般的な貯留槽を例示したものである。
壁面がコンクリート製、樹脂製、あるいはシートで覆ったいずれのタイプの貯留槽であっても浮力の影響を受ける可能性のある場所あるいは設計条件で施工された槽に適用可能である。
【００１４】
図６は、上記単位ユニットの例を示す図である。樹脂製、薄い金属板製の単位ユニットで雨水等の貯留浸透施設として使用される単位ユニットに対し適用が可能である。
【産業上の利用可能性】
【００１５】
雨水等の貯留浸透施設に使用される貯留槽、防火水槽等地下に埋設され、地下水で浮力を発生する槽一般に浮力対策として利用可能である。
【符号の説明】
【００１６】
１  貯水槽
２  集水器
３  空気抜き管
４  集水器底部開口
５  貯留槽と集水器の連通配管
４  逆止弁
５  逆止弁配管
６  逆止弁槽外開口部
【図４】
2013249655.tif 000003
【図６】
2013249655.tif 000004
【図１】
2013249655.tif 000005
【図２】
2013249655.tif 000006
【図３】
2013249655.tif 000007
【図５】
2013249655.tif 000008